(57)【要約】【課題】テレビジョン受像機において、ＳＤ放送からＨＤ放送に自動的に切り替えられた場合であっても、ユーザが容易にＨＤ放送が選局されている旨を知ることができるようにする。【解決手段】ＴＶ受像機は、ユーザがチャンネルを選局したときに（Ｓ１１）、ＮＩＴ情報を取得し（Ｓ１３）、取得したＮＩＴ情報内に、選局されたチャンネルについての切替指示情報が有るか否かを判断する（Ｓ１４）。切替指示情報がある場合、つまり、ＳＤ放送のチャンネルをＨＤ放送のチャンネルに切替えるべきチャンネルである場合（Ｓ１５でＹＥＳ）、ＴＶ受像機は、ＨＤ放送のチャンネルに切り替えて選局し、ＴＶ番組を受信して表示する（Ｓ１６）。そして、ＨＤ放送のチャンネルに切り替えられている旨のメッセージと、ＳＤ放送のチャンネルとＨＤ放送のチャンネルのうちのどちらをチャンネルリストに登録するかユーザに選択を促すメッセージとを表示する（Ｓ１７）。【選択図】図４
2011114599.tif 000002
【特許請求の範囲】
【請求項１】
放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送を受信する受信手段と、
前記受信手段によって受信されたＨＤ放送及びＳＤ放送に基づくテレビジョン番組の映像を表示する表示手段と、
前記受信手段によって受信されたデジタル放送のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、
前記ＮＩＴ情報抽出手段によって抽出された前記ＮＩＴ情報内に、同一内容のテレビジョン番組をＳＤ放送からＨＤ放送に切り替えて受信する旨を指示する情報（以下、切替指示情報という）が有るか否かを判断する切替指示情報判断手段と、
前記切替指示情報判断手段による判断の結果、前記ＮＩＴ情報内に選局されたチャンネルについての切替指示情報がある場合、同一内容のテレビジョン番組をＳＤ放送からＨＤ放送に切り替えて受信するように制御する制御手段とを備えるテレビジョン受像機において、
前記制御手段は、
ユーザによってチャンネルが選局されたときに、前記切替指示情報判断手段を用いて、前記ＮＩＴ情報内に、選局されたチャンネルについての切替指示情報が有るか否かを判断し、該切替指示情報がある場合、前記表示手段に、選局されたチャンネルについてのＨＤ放送のテレビジョン番組と共に、ＨＤ放送のチャンネルに切り替えられている旨のメッセージを表示することを特徴とするテレビジョン受像機。
【請求項２】
前記受信手段によって受信可能なＳＤ放送及びＨＤ放送のチャンネルをチャンネルリストとして記憶するチャンネルリスト記憶手段をさらに備え、
前記制御手段は、
ユーザによってチャンネルが選局されたときに、前記ＮＩＴ情報内に、ユーザによって選局されたチャンネルについての切替指示情報が有る場合、前記表示手段に、ＨＤ放送のテレビジョン番組と共に、ＳＤ放送のチャンネルとＨＤ放送のチャンネルのうちのどちらを前記チャンネルリスト記憶手段に記憶される前記チャンネルリストに登録するかユーザに選択を促すメッセージを表示し、
ユーザによって選択されたチャンネルを前記チャンネルリストに登録することを特徴とする請求項１に記載のテレビジョン受像機。
【発明の詳細な説明】
【技術分野】
【０００１】
本発明は、ＨＤ放送とＳＤ放送の双方を受信可能なテレビジョン受像機に関する。
【背景技術】
【０００２】
近年、例えば欧州等の地域によっては、１つの放送局が同一内容のテレビジョン番組をＳＤ（Ｓｔａｎｄａｒｄ  Ｄｅｆｉｎｉｔｉｏｎ）放送のチャンネルと、ＨＤ（Ｈｉｇｈ  Ｄｅｆｉｎｉｔｉｏｎ）放送のチャンネルの双方で放送（サイマル放送）することがある。ＳＤ放送とＨＤ放送の双方を受信可能なテレビジョン（以下、ＴＶという）受像機において、同一内容のテレビジョン番組がサイマル放送されている場合、ＮＩＴ（Ｎｅｔｗｏｒｋ  Ｉｎｆｏｒｍａｔｉｏｎ  Ｔａｂｌｅ）情報内の情報に基づき、ＨＤ放送のチャンネルに自動的に切り替えて選局するものがある（例えば、特許文献１参照）。
【０００３】
図６は、従来のＴＶ受像機におけるＨＤ放送のチャンネルの切り替え処理の一例である。ユーザによってチャンネルが選局されたときに、ＴＶ受像機が、選局されたチャンネルについてＮＩＴ情報内の切り替えを指示する情報、例えば「ＨＤ  Ｓｉｍｕｌｃａｓｔ」等の情報（以下、切替指示情報という）の有無を判断し、選局されたチャンネンについて切替指示情報が有る場合（Ｓ１０１でＹＥＳ）、選局されたＳＤ放送のチャンネルから、このＳＤ放送のチャンネルと同一内容のテレビジョン番組を放送しているＨＤ放送のチャンネルに切り替えて（Ｓ１０２）、ＨＤ放送のチャンネルを選局して受信する（Ｓ１０３）。
【０００４】
しかしながら、上記ＴＶ受像機は、ＮＩＴ情報内の切替指示情報の内容に誤りが有る場合であっても、ＨＤ放送のチャンネルに自動的に切り替えて選局してしまい、映像が映らない等の現象が生じることにより、ユーザが意図した映像を見ることができないことがある。その場合であっても、ユーザはＳＤ放送のチャンネルからＨＤ放送のチャンネルに自動的に切り替ったと分からないため、映像が映らないチャンネルを選局している等と間違った判断をしてしまう。このため、原因の特定を容易に行うことが難しく、ユーザによって上記ＴＶ受像機は使い勝手が悪い。
【０００５】
ところで、特許文献２には、所定時間毎にＮＩＴ情報を取得して論理チャンネル識別情報を取得し、この論理チャンネル識別情報と記憶している論理チャンネル識別情報とが一致しない場合、チャンネル情報を、取得した論理チャンネル識別情報に書き換えるデジタル放送受信装置が開示されている。しかしながら、この装置であっても、上記問題を解決できない。
【０００６】
また、特許文献３には、論理チャンネル毎にＳＤ放送とＨＤ放送に区分してチャンネルリストを出力し、ユーザはリストを見ることにより選局されているチャンネルがＨＤ放送であるか否かを確認できる放送受信装置が開示されている。しかしながら、この放送受信装置では、チャンネルリストを表示させなければ、ＳＤ放送又はＨＤ放送のいずれであるかをユーザが確認できないため、使い勝手が悪い。
【先行技術文献】
【特許文献】
【０００７】
【特許文献１】特開２００９−１５２７３９号公報
【特許文献２】特開２００９−１０５７９３号公報
【特許文献３】特開２００９−１７７７０６号公報
【発明の概要】
【発明が解決しようとする課題】
【０００８】
本発明は、上述した問題点を解決するためになされたものであり、ＳＤ放送からＨＤ放送に自動的に切り替えられた場合であっても、ユーザが容易にＨＤ放送が選局されている旨を知ることができ、使い勝手の良いテレビジョン受像機を提供することを目的とする。
【課題を解決するための手段】
【０００９】
上記目的を達成するために請求項１の発明は、放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送を受信する受信手段と、前記受信手段によって受信されたＨＤ放送及びＳＤ放送に基づくテレビジョン番組の映像を表示する表示手段と、前記受信手段によって受信されたデジタル放送のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、前記ＮＩＴ情報抽出手段によって抽出された前記ＮＩＴ情報内に、同一内容のテレビジョン番組をＳＤ放送からＨＤ放送に切り替えて受信する旨を指示する情報（以下、切替指示情報という）が有るか否かを判断する切替指示情報判断手段と、前記切替指示情報判断手段による判断の結果、前記ＮＩＴ情報内に選局されたチャンネルについての切替指示情報がある場合、同一内容のテレビジョン番組をＳＤ放送からＨＤ放送に切り替えて受信するように制御する制御手段とを備えるテレビジョン受像機において、前記制御手段は、ユーザによってチャンネルが選局されたときに、前記切替指示情報判断手段を用いて、前記ＮＩＴ情報内に、選局されたチャンネルについての切替指示情報が有るか否かを判断し、該切替指示情報がある場合、前記表示手段に、選局されたチャンネルについてのＨＤ放送のテレビジョン番組と共に、ＨＤ放送のチャンネルに切り替えられている旨のメッセージを表示するものである。
【００１０】
請求項２に記載の発明は、請求項１に記載のテレビジョン受像機において、前記受信手段によって受信可能なＳＤ放送及びＨＤ放送のチャンネルをチャンネルリストとして記憶するチャンネルリスト記憶手段をさらに備え、前記制御手段は、ユーザによってチャンネルが選局されたときに、前記ＮＩＴ情報内に、ユーザによって選局されたチャンネルについての切替指示情報が有る場合、前記表示手段に、ＨＤ放送のテレビジョン番組と共に、ＳＤ放送のチャンネルとＨＤ放送のチャンネルのうちのどちらを前記チャンネルリスト記憶手段に記憶される前記チャンネルリストに登録するかユーザに選択を促すメッセージを表示し、ユーザによって選択されたチャンネルを前記チャンネルリストに登録するものである。
【発明の効果】
【００１１】
請求項１の発明によれば、選局されたチャンネルについて切替指示情報がある場合、表示手段に、選局されたチャンネルについてのＨＤ放送のテレビジョン番組と共に、ＨＤ放送のチャンネルに切り替えられている旨のメッセージを表示する。そのため、ＳＤ放送からＨＤ放送に自動的に切り替えられた場合であっても、ＨＤ放送のチャンネルが選局されている旨をユーザが容易に知ることができるので、使い勝手がよい。
【００１２】
また、例えばＮＩＴ情報内の切替指示情報の内容が誤っているために、誤ったＨＤ放送が自動的に選局され、ユーザが意図した映像が映らない等の現象が生じた場合であっても、ユーザは、ＨＤ放送のチャンネルが選局されている旨を容易に知ることができるので、意図した映像が映らない原因の特定を容易に行うことができるため、使い勝手がよい。
【００１３】
請求項２の発明によれば、ユーザによって選択されたチャンネルをチャンネルリストに登録するので、ユーザが再度同じチャンネルを選局したときに、ユーザの意図しないチャンネルに自動的に切り替ることを防ぐことできるため、使い勝手がよい。
【図面の簡単な説明】
【００１４】
【図１】本発明の一実施形態に係るＴＶ受像機の斜視図。
【図２】上記ＴＶ受像機の概略構成を示すブロック図。
【図３】上記ＴＶ受像機におけるチャンネルリストの登録処理の手順を示すフローチャート。
【図４】上記ＴＶ受像機におけるチャンネル選局処理の手順を示すフローチャート。
【図５】上記チャンネル選局処理においてディスプレイに表示されるメッセージを説明する説明図。
【図６】従来のＴＶ受像機におけるチャンネル切り替え処理の手順を示すフローチャート。
【発明を実施するための形態】
【００１５】
本発明の一実施形態に係るテレビジョン（以下、ＴＶという）受像機について、図１、及び図２を参照して説明する。図１は、リモコン装置２により操作されるＴＶ受像機１の外観を示し、図２は、ＴＶ受像機１の内部構成を示す。ＴＶ受像機１は、放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送に基づくＴＶ番組を受信して復号することにより表示する機器である。リモコン装置２は、ユーザにより操作され、ＴＶ受像機１に対して各種の動作指示を行うためのものである。
【００１６】
ＴＶ受像機１は、ＴＶ番組の映像を表示するディスプレイ（表示手段）１１と、ＴＶ番組の音声を出力するスピーカ１２と、放送局から配信されるデジタル放送信号を受信するチューナ部（受信手段）１３と、リモコン装置２から送信される操作信号を受信するリモコン信号受信部１４と、各種情報を記憶するメモリ（チャンネルリスト記憶手段）１５と、装置各部を制御する制御用マイコン（制御手段）１６とを備える。
【００１７】
リモコン装置２は、ユーザによって操作される複数のボタン２１と、ＴＶ受像機１に対してユーザによる操作に応じた操作信号を送信するための信号送信部２２とを有する。ユーザはボタン２１を操作することにより、チャンネルの選局等の動作指示を行うことができる。
【００１８】
チューナ部１３は、例えばＭＰＥＧ−２方式で符号化されたＳＤ放送信号や、Ｈ．２６４方式で符号化されたＨＤ放送信号を含むデジタル放送信号を復号できるデコーダ１３ａを有し、放送局から配信されるＴＶ番組や、各種情報が記載されたＮＩＴ（Ｎｅｔｗｏｒｋ  Ｉｎｆｏｒｍａｔｉｏｎ  Ｔａｂｌｅ）情報等を受信して制御用マイコン１６に出力する。ＮＩＴ情報は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく情報であり、同一内容のテレビジョン番組を受信する際に、ＳＤ放送のチャンネルからＨＤ放送のチャンネルに切り替えて受信する旨を指示する情報、例えば、「ＨＤ  Ｓｉｍｕｌｃａｓｔ」等の情報（以下、切替指示情報という）を含むものである。
【００１９】
デコーダ１３ａは、デジタル放送信号のトランスポートストリームに含まれる番組ストリームを映像信号及び音声信号に復号する。メモリ１５は、制御用マイコン１６を動作させるためのプログラム１５ａと、チャンネルリスト１５ｂとを記憶する。チャンネルリスト１５ｂは、チューナ部１３によって受信可能なＳＤ放送のチャンネル情報及びＨＤ放送のチャンネル情報を記憶する。サイマル放送であるＳＤ放送のチャンネル情報及びＨＤ放送のチャンネル情報の場合、チャンネルリスト１５ｂには、ＳＤ放送とＨＤ放送のいずれかのチャンネル情報が記憶される。
【００２０】
制御用マイコン１６は、映像出力部１６ａと、音声出力部１６ｂと、ＮＩＴ情報抽出部（ＮＩＴ情報抽出手段）１６ｃと、切替指示情報判断部（切替指示情報判断手段）１６ｄと、チャンネルリスト管理部１６ｅとを有し、受信するチャンネルの制御処理や、ディスプレイ１１に表示する映像やメッセージの制御処理を行う。
【００２１】
映像出力部１６ａは、チューナ部１３によって受信されたＴＶ番組の映像や各種メッセージをディスプレイ１１に出力する。音声出力部１６ｂは、チューナ部１３によって受信されたＴＶ番組の音声をスピーカ１２に出力する。
【００２２】
ＮＩＴ情報抽出部１６ｃは、チューナ部１３によって受信されたトランスポートストリームからＮＩＴ情報を抽出する。切替指示情報判断部１６ｄは、ＮＩＴ情報抽出部１６ｃによって抽出されたＮＩＴ情報内に、所定のチャンネルについての切替指示情報が有るか否かを判断する。チャンネルリスト管理部１６ｅは、チャンネルリスト１５ｂにチャンネル情報を登録したり、チャンネルリスト１５ｂに登録されているチャンネル情報の更新を行う。
【００２３】
次に、ＴＶ受像機１におけるチャンネルリストの登録処理について、図３に示すフローチャートを参照して説明する。ここでは、チャンネルリスト１５ｂにチャンネル情報が登録されていないものとする。
【００２４】
まず、制御用マイコン１６は、チューナ部１３を用いて受信可能なチャンネルの情報を検索するための、所謂、イニシャルスキャンを実施する（Ｓ１）。そして、各チャンネルについて、ＮＩＴ情報抽出部１６ｃを用いてＮＩＴ情報を取得し（Ｓ２）、切替指示情報判断部１６ｄを用いて、取得したＮＩＴ情報内に切替指示情報が有るか否かを判断し、該当のチャンネルについて切替指示情報がある場合、制御用マイコン１６は、チャンネルリスト管理部１６ｅを用いて、切替指示情報の内容に基づき、該当のチャンネルについてＳＤ放送のチャンネルと同一内容のテレビジョン番組のＨＤ放送のチャンネルの情報をチャンネルリスト１５ｂに登録する。これに対して、ＮＩＴ情報内に切替指示情報がない場合、該当のチャンネルについてＳＤ放送のチャンネルをチャンネルリスト１５ｂに登録する（Ｓ３）。
【００２５】
次に、ＴＶ受像機１におけるチャンネル選局処理について、図４に示すフローチャートを参照して説明する。ここでは、上記図３に示した処理により、既にチャンネルリスト１５ｂにチャンネル情報が登録されているものとする。
【００２６】
まず、制御用マイコン１６は、ユーザがリモコン装置２の操作ボタン２１を操作することによりチャンネルを選局したときに（Ｓ１１）、そのチャンネルが初めて選局されたものである場合（Ｓ１２でＹＥＳ）、ＮＩＴ情報抽出部１６ｃを用いてＮＩＴ情報を取得し（Ｓ１３）、取得したＮＩＴ情報内に、ユーザによって選局されたチャンネルについての切替指示情報が有るか否かを判断する（Ｓ１４）。
【００２７】
上記Ｓ１４の判断の結果、切替指示情報がある場合、つまり、ユーザが選局したチャンネルがＳＤ放送のチャンネルをＨＤ放送のチャンネルに切替えるべきチャンネルである場合（Ｓ１５でＹＥＳ）、制御用マイコン１６は、チューナ部１３を用いて、ＨＤ放送のチャンネルに切り替えて選局し、ＴＶ番組を受信して表示する（Ｓ１６）。そして、ＨＤ放送のチャンネルに切り替えられている旨のメッセージと、ＳＤ放送のチャンネルの情報とＨＤ放送のチャンネルの情報のうちのどちらをチャンネルリスト１５ｂに登録するかユーザに選択を促すメッセージとをディスプレイ１１に表示する（Ｓ１７）。
【００２８】
そして、ユーザによってチャンネルリスト１５ｂに登録するチャンネルが選択されると（Ｓ１８）、チャンネルリスト管理部１６ｅを用いて、ユーザによって選択されたチャンネルの情報に基づき、チャンネルリスト１５ｂに登録されているチャンネル情報の更新を行う（Ｓ１９）。一方、上記Ｓ１４の判断の結果、切替指示情報がない場合（Ｓ１５でＮＯ）、上記Ｓ１６以降の処理は行わない。
【００２９】
次に、上記Ｓ１７の処理においてディスプレイ１１に表示されるメッセージの一例について、図５を参照して説明する。図５に示すように、ディスプレイ１１には「ＳＤ放送からＨＤ放送に切替えました。チャンネルリストに登録するチャンネルを選択してください。」というメッセージが表示される。図中の「１」はＳＤ放送のチャンネル番号を示し、「５１」はＨＤ放送のチャンネル番号を示す。ユーザがリモコン装置２を操作することにより、「１」又は「５１」のいずれかのチャンネル番号を選択すると、選択されたチャンネルのチャンネル情報、例えばチャンネル番号の情報がチャンネルリスト１５ｂに登録される。
【００３０】
上述したように、本実施形態に係るＴＶ受像機１においては、ユーザによって選局されたチャンネルについて切替指示情報がある場合、ディスプレイ１１に、選局されたチャンネルについてのＨＤ放送のテレビジョン番組と共に、ＨＤ放送のチャンネルに切り替えられている旨のメッセージを表示する。そのため、ＳＤ放送からＨＤ放送に自動的に切り替えられた場合であっても、ＨＤ放送のチャンネルが選局されている旨をユーザが容易に知ることができるので、使い勝手がよい。
【００３１】
また、例えばＮＩＴ情報内の切替指示情報の内容が誤っているために、誤ったＨＤ放送が自動的に選局され、ユーザが意図した映像が映らない等の現象が生じた場合であっても、ディスプレイ１１にＨＤ放送のチャンネルに切り替えられている旨のメッセージが表示されるので、ユーザは、ＨＤ放送のチャンネルが選局されている旨を容易に知ることができ、意図した映像が映らない原因の特定を容易に行うことができるため、使い勝手がよい。
【００３２】
また、ユーザによって選択されたチャンネルの情報をチャンネルリスト１５ｂに登録するので、ユーザが再度同じチャンネルを選局したときに、ユーザの意図しないチャンネルに自動的に切り替ることを防ぐことできるため、使い勝手がよい。
【００３３】
なお、本発明は、上記実施形態の構成に限られず、発明の趣旨を変更しない範囲で種々の変形が可能である。例えば、上記実施形態ではＨＤ放送のチャンネルに切り替えられている旨のメッセージをディスプレイに表示してユーザに報知する例を示したが、これに限られず、ランプを点滅させたり、スピーカから音声を出力したりすることにより報知するものであってもよい。
【符号の説明】
【００３４】
１  ＴＶ受像機（テレビジョン受像機）
１１  ディスプレイ（表示手段）
１３  チューナ部（受信手段）
１５  メモリ（チャンネルリスト記憶手段）
１６  制御用マイコン（制御手段）
１５ｂ  チャンネルリスト
１６ｃ  ＮＩＴ情報抽出部（ＮＩＴ情報抽出手段）
１６ｄ  切替指示情報判断部（切替指示情報判断手段）
【図１】
2011114599.tif 000003
【図２】
2011114599.tif 000004
【図３】
2011114599.tif 000005
【図４】
2011114599.tif 000006
【図５】
2011114599.tif 000007
【図６】
2011114599.tif 000008